(57)【特許請求の範囲】
【請求項１】
折り曲げ線部を介して左右に連設された対をなす表示部と、これら各表示部の縁部から連なる貼り付け部とを具備してなり、前記表示部と前記貼り付け部の裏面に粘着層を設けてなるインデックスラベルであって、
一方の前記表示部と前記貼り付け部との間にのみ当該貼り付け部を前記表示部から切り離すための切り離し線部を設けたことを特徴とするインデックスラベル。
【請求項２】
前記切り離し線部が、複数の貫通孔を間欠的に配列してなるものである請求項１記載のインデックスラベル。
【請求項３】
前記切り離し線部が、ミシン目状のものである請求項２記載のインデックスラベル。
【請求項４】
前記貼り付け部の一部に、前記表示部の一部より突出する掴み代を設けている請求項１、２又は３記載のインデックスラベル。
【請求項５】
前記表示部が、枠状の罫線を設けたものであり、前記切り離し線部が前記枠状の罫線の一辺に沿って設けられている請求項１、２、３又は４記載のインデックスラベル。
【請求項６】
剥離紙に、請求項１、２、３、４又は５記載のインデックスラベルを展開状態で添着してなるインデックスラベルシート。
【発明の詳細な説明】
【技術分野】
【０００１】
本発明は、インデックスラベル及びインデックスラベルシートに関する。
【背景技術】
【０００２】
従来から、ファイル又は書籍等の用紙やプラスチックシート等の種々のシート体の縁部に貼り付けることにより見出しとして利用できるインデックスラベルが知られている（例えば非特許文献１参照）。
【０００３】
従来のインデックスラベルは、折り曲げ線部を介して左右に連設された対をなす表示部と、これら表示部の縁部から連なる貼り付け部とを具備してなるもので、前記表示部と貼り付け部の裏面に粘着層を設けているいわゆるシール状のものである。そして、前述した用紙等の両面すなわち用紙等の表面と裏面に前記貼り付け部をそれぞれ貼り付けることにより、用紙等の縁部から表示部が突出するように設け、インデックスとしての機能を発揮するようにしている。
【０００４】
ところが、従来のものは一旦用紙等に貼り付けたものを剥がす、又は、部分的に取り除くという態様については、一切想定がなされていなかった。換言すれば、従来のものは用紙等にしっかりと確実に貼り付けることにのみ注意が向けられており、そのため、前記各表示部と前記各貼り付け部とが切り離し不能に連続したものとなっている。
【０００５】
ところが、近時においては、一旦用紙等に貼り付けたインデックスラベルを剥がし、新たなインデックスラベルを付け直すことによりファイル等を再編集したいという要望や、分別廃棄が奨励されている社会背景等によりプラスチックシート等に貼り付けたインデックスラベルを廃棄する際にプラスチックシート等から剥がして分別したいという要望などが多く寄せられるようになっている。これらの要望に対しては何らかの対策が望まれている。
【先行技術文献】
【特許文献】
【０００６】
【非特許文献１】“タックインデックス”，コクヨ総合カタログ２０１０年版ステーショナリー編，コクヨ株式会社，平成２１年１２月，ｐ．６１４−６１５
【発明の概要】
【発明が解決しようとする課題】
【０００７】
本発明は、以上のような事情に着目してなされたもので、一旦用紙等に貼り付けた後に、その用紙等から剥がしにくいという課題を解消又は抑制ないし緩和するインデックスラベルを提供することを目的とする。
【課題を解決するための手段】
【０００８】
すなわち、本発明のインデックスラベルは、折り曲げ線部を介して左右に連設された対をなす表示部と、これら各表示部の縁部から連なる貼り付け部とを具備してなり、前記表示部と前記貼り付け部の裏面に粘着層を設けてなるインデックスラベルであって、一方の前記表示部と前記貼り付け部との間にのみ当該貼り付け部を前記表示部から切り離すための切り離し線部を設けたことを特徴とする。
【０００９】
このようなものであれば、前記貼り付け部を前記表示部から切り離すための切り離し線部を設けたものであるため、前記表示部から前記貼り付け部を切り離した態様で利用することができるものとなる。このため、一方の前記貼り付け部を切り離すことにより、他方の前記貼り付け部を利用して用紙等の一面側にのみ貼り付けて使用することができ、一旦用紙等に貼り付けた後においても用紙等から剥がしやすいものとなる。
【００１０】
前記切り離し線部としては、複数の貫通孔を間欠的に配列してなるものが好ましく、より具体的には、前記切り離し線部が、ミシン目状のものなどを挙げることができる。
【００１１】
前記切り離し線部が設けられる態様としては、前記切り離し線部が、一方の前記表示部と前記貼り付け部との間にのみ設けられているものを挙げることができる。
【００１２】
前記貼り付け部を用紙等から剥がし易くするための好適な態様としては、前記貼り付け部の一部に、前記表示部の一部より突出する掴み代を設けているものが好ましい。
【００１３】
前記表示部としては、枠状の罫線を設けたものを挙げることができる。また、前記切り離し線部が設けられるより具体的な箇所としては、前記枠状の罫線の一辺に沿って設けられているものが考えられる。
【００１４】
また、本発明に係るインデックスラベルシートは、所定の表面処理が施された剥離紙に、前述したインデックスラベルを展開状態で添着してなることを特徴とする。
【００１５】
なお、インデックスラベルシートが貼り付けられる「用紙等」とは、紙のほか、プラスチック製のシート、ホルダー、クリアポケットと称されるプラスチック製の袋状体等を広く含んだ概念である。
【００１６】
また、本明細書における方向もしくは位置的用語は、特に明示しない限り、図１を基準として用いるものとする。
【発明の効果】
【００１７】
以上説明したように本発明によれば、一旦用紙等に貼り付けた後に、その用紙等から剥がしにくいという課題を解消又は抑制ないし緩和したインデックスラベル、及び、かかるインデックスラベルを展開状態で添着してなるインデックスラベルシートを実現することができる。
【図面の簡単な説明】
【００１８】
【図１】本発明の一実施形態を示す平面図。
【図２】同実施形態における図１のＸ−Ｘ断面図。
【図３】同実施形態における拡大平面図。
【図４】同実施形態における説明図。
【図５】同実施形態における斜視図。
【図６】同実施形態における断面図。
【図７】同実施形態における他の使用態様を示す斜視図。
【図８】同実施形態における他の使用態様を示す斜視図。
【図９】本発明の他の実施形態を示す斜視図。
【図１０】同実施形態における使用態様の説明図。
【図１１】さらに他の実施形態を示す平面図。
【図１２】参考例を示す平面図。
【図１３】同参考例における説明用の断面図。
【図１４】さらに他の使用態様を示す斜視図。
【図１５】さらに他の使用態様を示す斜視図。
【発明を実施するための形態】
【００１９】
以下、本発明の一実施形態を、図１〜図８を参照して説明する。
【００２０】
図１は、本発明に係るインデックスラベルシートＳを示しており、図２は、図１におけるＸ―Ｘ線断面図である。このインデックスラベルシートＳは、所定の表面処理が施された剥離紙Ｈに複数枚のインデックスラベルＬを展開状態で略等間隔に添着してなるものである。
【００２１】
剥離紙Ｈは、所定の表面処理が施されてなるもの、具体的に言えば、台紙Ｈ１の表面に図示しない剥離層を形成してなるものである。剥離紙Ｈは通常のものであり、詳しい説明は省略する。
【００２２】
インデックスラベルＬは展開状態において略矩形状をなす紙製のシート体であり、図２及び図３に示すように、折り曲げ線部３を介して左右に連接された対をなす左右の表示部１、２と、これら各表示部１、２の縁部ｅ、ｅから外側方に連なる左右の貼り付け部４、５とを具備してなる。左右の表示部１、２と左右の貼り付け部４、５のそれぞれの裏面には粘着層ｎを設けている。
【００２３】
左右の表示部１、２は、表面に文字等を記入するための表示領域ｒを備えたものである。左右の表示部１、２は、縦長の長方形状をなすシート状のもので、その表面側には枠状の罫線１１、２１が印刷等により表示されている。左の表示部１と右の表示部２とは略同じ大きさに設定されているものであり、これら左右の表示部１、２間には、上下方向に延びる折り曲げ線部３を設けている。折り曲げ線部３は、シート体を折り曲げる部分である。また、折り曲げ線部３は、左右の表示部１、２同士を重ね合わせて添着させるため、より具体的には、粘着層ｎを有した左の表示部１の裏面と右の表示部２の裏面とを添着させるためのものである。本実施形態において、折り曲げ線部３は、左右の表示部１、２間を容易に折り曲げられるようにするために複数の貫通孔３１を間欠的に配列してなるもの、すなわちミシン目状のものにしている。なお、折り曲げ線部３は、ミシン目状のもの以外でも種々のものを適用することができ、例えば、インデックスラベルに用いられるシート体の厚さ寸法未満のプレス線等により構成したものであってもよいし、折りケイであってもよいし、又は、印刷等による目印のみのものであってもよい。
【００２４】
左右の貼り付け部４、５は、左右の表示部１、２の縁部ｅから連なって設けられている。詳述すると、左右の貼り付け部４、５は、それぞれ縦長の長方形状をなすシート状のもので左右の表示部１、２と同一の高さ寸法を有しているものである。しかして、本実施形態においては、一方の表示部である左の表示部１と左の貼り付け部４との間に、左の貼り付け部４を左の表示部１から切り離すための切り離し線部６を設けている。
【００２５】
なお、粘着層ｎはシート体の裏側の略全域、具体的に言えば、左右の表示部１、２及び貼り付け部４、５のそれぞれの裏面に設けられており、本実施形態においては、再剥離可能な粘着性を備えたものとしている。
【００２６】
切り離し線部６は、シート体及び粘着層ｎを貫通する複数の貫通孔６１を上下に間欠的に配してなるもので、具体的には、縦長状の貫通孔６１を破線状に配したいわゆるミシン目状をなしている。切り離し線部６は、対応する表示部すなわち本実施形態における左の表示部１の枠状の罫線１１の一辺、より具体的にいえば罫線１１の外側辺１１１に略沿って設けられている。
【００２７】
次いで、本実施形態におけるインデックスラベルＬの使用例を図４〜図８を参照して説明する。
【００２８】
まず、図４に示すように、展開状態にあるインデックスラベルＬを準備し、一方の貼り付け部４を切り離し線部６を境にして左の表示部１から切り離す。切り離し線部６はミシン目状のものであるため、左の表示部１側を保持して左の貼り付け部４を外方に引き離すことによって切り離し線部６が破断され、左の貼り付け部４が左の表示部１から容易に切り離される。
【００２９】
そして、左の貼り付け部４が左の表示部１から切り離された後、図５に示すように、その状態で折り曲げ線部３を折曲げて表示部１、２同士を重ね合わせ添着させる。すなわち、折り曲げ線部３を折り曲げて左の表示部１の裏面と右の表示部の裏面とを相互に貼り合わせ、左右の表示部１、２のそれぞれの表側が外方に向いた態様で重合した状態にする。これにより、切り離しがされていない他方の貼り付け部たる右の貼り付け部５が接着層ｎを露出させた状態で外側方に延出することになる。
【００３０】
次いで、前述した態様の右の貼り付け部５を、例えば図５や図６に示すように、所望の用紙等、図示例では、用紙Ｐの一方の面に貼り付ける。このようにして、用紙Ｐの一方の面にのみ貼り付け部５を貼り付け、インデックスラベルＬとしての機能、すなわち見出しや目印としての機能を発揮しうる状態となる。このようなものであれば、従来のインデックスラベル、より具体的に言えば、用紙Ｐを挟むようにして用紙Ｐの両面側に貼り付け部分をそれぞれ貼り付けていた従来のインデックスラベルと比較して、用紙Ｐから比較的容易にインデックスラベルＬを剥がすことができる。しかも、左の貼り付け部４が切り離された後の左の表示部１の外側縁１２を用紙Ｐの縁部Ｐ１に当接するようにして貼り付けることが可能となり、正確な位置決めが可能になる。また、本実施形態において用紙Ｐに添着した状態では、用紙Ｐの一方側のみに貼り付け部５が存在することになるため、用紙Ｐの両面を挟みこんで貼り付けていた従来のものと比較して、用紙ＰとインデックスラベルＬとによって形成される厚み寸法を小さくすることができる。
【００３１】
また、図５に示すように、インデックスラベルＬを用紙Ｐに貼り付けている場合、用紙Ｐの一方の面にのみ貼り付け部５を添着させていることとなる。このため、図６に示すように、右の貼り付け部５の裏面に再剥離可能な粘着層ｎを用いることによって、重ね合う左右の表示部１、２を摘んで引っ張ることにより、不要になったインデックスラベルＬを用紙Ｐの紙面を傷つけることを抑制しつつ比較的簡単に剥がすことができるようになる。
【００３２】
さらに、本実施形態では、用紙Ｐの一方側の面にのみ貼り付け部５を貼り付けるようにしているため、貼り付け部５を用紙Ｐに仮止め的に貼り付けることができる。このため、インデックスラベルＬの貼り付け位置の調整が、用紙ＰからインデックスラベルＬを仮止め及び引き剥がしを適宜繰り返すことにより極めて簡単に行うことができる。これは従来のもの、すなわち、用紙Ｐの両面を挟みこんで貼り付けていたものでは、用紙Ｐに対する仮止め的な添着が困難であったため、容易に実現できなかったことである。本実施形態に係るものでは、前述の仮止め的な貼り付けを利用して、インデックスラベルＬの貼り付け位置を簡単に変更することができるので書籍やファイル等の小口の見栄えを良いものとすることができる。
【００３３】
また、図５及び図６に示すような態様をなすインデックスラベルＬは、図７及び図８に示すような種々の用途がある。以下、説明する。
【００３４】
すなわち、図７に示すように、左右の表示部１、２の用紙Ｐの縁部Ｐ１からの飛び出し高さ寸法を容易に変更することができる。なお、図７に示すものは、用紙Ｐの縁部Ｐ１から外方に飛び出した左右の表示部１、２の高さ寸法を、標準的な使用時の高さ寸法よりも小さなものとしている。例えば、書籍やファイル等の用紙Ｐに複数のインデックスラベルＬを用いた際には、それらのインデックスラベルＬの所定の飛び出し高さ寸法や用紙Ｐにおける上下位置を揃えたり等間隔に配置したりすることにより全体的な見栄えを良くしたいという要望があるが、本発明では貼り付け位置を調整する目的でインデックスラベルＬの貼り付け部５を剥がし易くしているので、前述した要望を従来のものと比べて比較的容易に実現することができる。
【００３５】
図８に示すものは、図５に示すような態様をなすインデックスラベルＬを、用紙Ｐの任意の箇所に貼り付けて、メモ用のラベルや注意喚起用の付箋の機能を発揮させたものである。ここで、一方の貼り付け部５の粘着層ｎが再剥離可能なものであれば、所要の目的を達成した後などに、簡単に手指で摘んで剥がすことができる。
【００３６】
このように、本実施形態に係るインデックスラベルＬは、一方の貼り付け部４を、切り離し線部６を介して表示部１から切り離すことができるため、用紙Ｐの一方の面だけに貼り付け部５を貼り付けるようにすることができる。すなわち、従来のものでは用紙Ｐの両面を挟むようにして貼り付けるのが一般的であったが、本発明では、用紙Ｐの一方の面だけに貼り付け部５を貼り付けるようにしているので、必要時において、用紙Ｐから比較的簡単にインデックスラベルＬを剥がすことができる。また、例えば、インデックスラベルＬの貼り付け対象がプラスチック製のシート等であれば、廃棄時において、紙製のインデックスラベルＬとプラスチック製のシートとを容易に分別して廃棄することができる。
【００３７】
本実施形態に係るインデックスラベルＬは、一方の貼り付け部４を、必要がある場合に、切り離し線部６を介して表示部１から切り離すことができるものである。したがって、従来のものと同様の使用方法によりインデックスラベルＬを使用することもできる。すなわち、用紙Ｐの両面に両貼り付け部４、５をそれぞれ貼り付けて使用する態様も任意に選択することが可能である。
【００３８】
なお、本発明は、以上に詳述した実施形態に限られるものではない。
【００３９】
インデックスラベルを構成するシート体の上下寸法や左右寸法等は、使用目的に応じて種々設定が可能である。
【００４０】
本実施形態では、左右の表示部に枠状の罫線を印刷により設けていたが、枠状の罫線を設けていないものであってもよい。
【００４１】
本実施形態では、折り曲げ線部をミシン目状のものとしたがこれに限定されるものではないことは明らかである。
【００４２】
本実施形態では、インデックスラベルの貼り付け対象として用紙Ｐを例にあげたが、これに限定されるものではなく、プラスチック製のシート等であってもよいのはもちろんのことである。
【００４３】
本実施形態における切り離し線部としては、ミシン目状のものが採用されているが、かかる態様に限定されるものではない。例えば、貫通孔として、丸孔状の貫通孔や三角形状の貫通孔、その他多角形状の貫通孔等を採用することもでき、複数の貫通孔が配される間隔も種々設定することができる。切り離し線部は、貼り付け部の切り離しを補助できるものであればよいので、貫通孔の集合体、すなわち貫通孔が一定範囲に列状に集積されたものであればよい。このようなものの一例としては、例えば、縦長状の貫通孔を、上下方向に垂直に延びる仮想線よりも若干斜めに傾けて複数上下配列したものなどが考えられる。また、貫通孔を複数設けない態様も考えられる。すなわち、切り離し線部を、シートの上下端縁近傍部のみにシートの肉部分を残し、他の部分である上下方向の中間部を一の貫通孔とした構成とすることも考えられる。さらに、予め一方の貼り付け部を切断又は分離しておき、表示部の外側縁に接着剤で離脱可能に取り付けるようにしても良い。
【００４４】
続いて、本発明の他の実施形態について説明する。なお、以下の説明において、前述した実施形態と同一若しくは同等の構成部分については、必要に応じて同一の符号を用いるものとし、説明を省略若しくは簡略にする。
【００４５】
前述した実施形態においては、一方の貼り付け部である左の貼り付け部４を左の表示部１から切り離してから他方の貼り付け部である右の貼り付け部５を用紙Ｐに貼り付ける場合について説明をしたが、図９及び図１０に示すようにしてもよい。すなわち、他の実施形態としては、インデックスラベルＬの両貼り付け部４、５を用紙Ｐの両面にそれぞれ添着させて使用することもできる。
【００４６】
当該他の実施形態では、両貼り付け部４、５を用紙Ｐの両面にそれぞれ添着させて使用し、しかる後に、図１０に示すように、一方の貼り付け部４を、切り離し線部６を利用して用紙Ｐの一方の面及び表示部１から取り除くことができるようにしている。ここで、用紙Ｐに一旦貼り付けた左の貼り付け部４の取り除きを比較的容易にするべく、左の貼り付け部４における粘着層ｎの粘着力を再剥離可能な粘着力よりも弱くしておくのが好ましい。このようにすれば、左の貼り付け部４及び右の貼り付け部５により用紙Ｐを挟みこんで貼り付けることができるので、用紙Ｐに確実に保持できる一方、インデックスラベルＬを用紙Ｐから取り除く際には、簡単に左の貼り付け部４を取り除いてから対応することができる。
【００４７】
さらには、図１１に示すように、貼り付け部４の一部に表示部１の一部より突出する掴み代ｔを設けてもよい。掴み代ｔは、貼り付け部４の下縁部４１から下方向に突出したシート体の一部をなすものであり、表示部１の下縁部１３、２３よりも外方に突出しているものである。掴み代ｔは、貼り付け部４を剥がす際の便宜となるように手指で摘めるようにしたものである。なお、掴み代ｔは、裏面に粘着層ｎを設けたものでもよいし粘着層ｎを裏面に設けていないものでもよい。
【００４８】
次いで、参考例について図１２及び図１３を参照して説明する。
【００４９】
上述した各実施形態では、一方の表示部１と貼り付け部４との間にのみ切り離し線部６を設けた場合について説明したが、図１２及び図１３に示す参考例では、切り離し線部６、７を両方の表示部１、２と貼り付け部４、５との間にそれぞれ設けている。詳述すれば、一方の表示部１と一方の貼り付け部４との間に加え、さらに他方の表示部２と他方の貼り付け部５との間にも切り離し線部７を設けている。このようにすれば、図１３に示すように、インデックスラベルＬが不要になった際に、重合した表示部１、２のみを用紙Ｐに貼り付けた状態の貼り付け部４、５から取り除くことができる。このようなものであれば、重合した表示部１、２の突出が邪魔になった場合などに簡便に対応することができ、便宜である。
【００５０】
ところで、本発明に係るインデックスラベルは図１４及び図１５に示すような使用形態も考えられる。
【００５１】
すなわち、図１４に示すものは、切り離し線部６を、シート体を内側へ折り曲げるための折り曲げ線部として利用したものである。当該部位を折り曲げて使用することにより、一方の貼り付け部４を左の表示部１の裏面側に貼り付けることができるようになる。このようなものであれば、左の貼り付け部４が、左の表示部１と右の表示部２との間に位置するようになり、右の表示部３の裏側に、左の表示部１及び左の貼り付け部４によってシートが２層に重合した部分が得られるものとなる。このようなものであれば、従来のインデックスラベル、より具体的に言えば、用紙Ｐを挟むようにして用紙Ｐの両面側に貼り付け部分をそれぞれ貼り付けていた従来のインデックスラベルと比較して、用紙Ｐから比較的容易にインデックスラベルＬを剥がすことができる。しかも、左の貼り付け部４と左の表示部１との間に形成されたシート２枚分の厚みを有する折り曲げ縁部ｅ１を用紙Ｐの縁部Ｐ１に当接するようにして貼り付けることが可能となり、正確な位置決めが可能になる。
【００５２】
また、図１５に示すものは、切り離し線部６を、シート体を折り曲げるための折り曲げ線部として利用しつつ、左の貼り付け部４を左の表示部１から切り離す態様と、左の貼り付け部４をそのまま用紙Ｐの一面側に貼り付ける態様とを任意に選択できるようにした使用方法である。このようなものであれば、図１５に示すように、左の貼り付け部４を左の表示部１に対して起立させた状態で、左の貼り付け部４と左の表示部１との間に形成される折り曲げ縁部ｅ２（粘着層ｎが表出する側）を用紙Ｐの縁部Ｐ１に突き当てて位置決めすることができ、貼り付け位置を正確に設定することができるものとなる。
【００５３】
その他、各部の具体的構成についても上記実施形態に限られるものではなく、本発明の趣旨を逸脱しない範囲で種々変形が可能である。
【符号の説明】
【００５４】
１…表示部（左の表示部）
２…表示部（右の表示部）
３…折り曲げ線部
４…貼り付け部（左の貼り付け部）
５…貼り付け部（右の貼り付け部）
６…切り離し線部
７…切り離し線部
１１…罫線
１２…罫線
６１…貫通孔
ｅ…縁部
Ｈ…剥離紙
Ｌ…インデックスラベル
Ｓ…インデックスラベルシート
ｔ…掴み代
【図１】
0005463606.tif 000002
【図２】
0005463606.tif 000003
【図３】
0005463606.tif 000004
【図４】
0005463606.tif 000005
【図５】
0005463606.tif 000006
【図６】
0005463606.tif 000007
【図７】
0005463606.tif 000008
【図８】
0005463606.tif 000009
【図９】
0005463606.tif 000010
【図１０】
0005463606.tif 000011
【図１１】
0005463606.tif 000012
【図１２】
0005463606.tif 000013
【図１３】
0005463606.tif 000014
【図１４】
0005463606.tif 000015
【図１５】
0005463606.tif 000016